(57)【要約】【課題】履き心地が良く、歩きやすく、夏季であっても蒸れにくいルームシューズ（室内履き）を提供する。【解決手段】このルームシューズ１００は、ユーザの足Ｆの足甲を覆う足甲部１０２、踵を覆う踵部１０８、足甲部１０２から踵部１０８まで延設される足側部１０６、足底を覆う足底部１０４により形成され、足底部１０４に対して上下反対側に足を出し入れするための開口部が設けられている。足甲部１０２および足底部１０４が、通気性を備えたメッシュ生地で形成され、足底部１０４における踵近傍位置に通気性を備えた踵部通気性クッション材１０４Ｃを含んで形成されている。【選択図】図１
2018023615.tif 000002
【特許請求の範囲】
【請求項１】
室内用の足被覆具であって、足甲と踵と足底とを被覆するとともに足首を露出するルームシューズであって、
足甲を覆う足甲部、踵を覆う踵部および足底を覆う足底部により形成され、
前記足底部に対して上下反対側に足を出し入れするための開口部を設け、
前記足甲部および前記足底部が通気性を備えたメッシュ生地を含んで形成され、
前記足底部における踵近傍位置に通気性を備えたクッション材を含んで形成される、ルームシューズ。
【発明の詳細な説明】
【技術分野】
【０００１】
本発明は、主として室内で使用される室内履きであるルームシューズに関し、特に、履き心地が良く、歩きやすく、蒸れにくいルームシューズに関する。
【背景技術】
【０００２】
室内履きの代表的な足被覆具としてスリッパがある。このスリッパは、足を乗せて足裏に直接当接する中敷部材と、足先および甲部を包み込む形状に形成された甲被部材と、スリッパの下側に位置して、床面と直接当接する底部材と、これら中敷部材、甲被部材および底部材を位置決めして結合させる支持部材等によって構成されている。
このようなスリッパにおいては、足の後部（踵部）が覆われることなく露出するため歩く時に足先に若干力を入れないと脱げ易いといった問題があった。特に、主婦が家庭で炊事をしたり、掃除をするといったような家事で頻繁に動くことが多い場合には、スリッパがしばしば脱げかかったりして不安定になり易く、台所の床面等では滑って転んだりする危険がある。
【０００３】
このようなスリッパの脱げやすい問題点を解決するために、足を被覆する部分を増やして足から抜け難い靴の形状に近い室内履き（ルームシューズ）も利用されている。
たとえば、特開平１０−５００２号公報（特許文献１）は、底部、甲部および側部が一体に形成されるとともに、底に縫い目がなく、さらに、ＥＶＡ樹脂製の底板が表面に露出しないように形成して、台所の床面または畳の上でも安心して履けるようにした室内履きを開示する。この特許文献１に開示された室内履きは、底部と甲部および側部とが一体で底に縫い目がなく、底板が表面に露出しない保形されたスリップオンタイプ（本来は着脱の簡単なものの意味であって、結びひもや留め具がなく、足をすべり込ませて簡単に履けるタイプを指しスリッポンとも呼ばれる）のものである。
【先行技術文献】
【特許文献】
【０００４】
【特許文献１】特開平１０−５００２号公報
【発明の概要】
【発明が解決しようとする課題】
【０００５】
しかしながら、特許文献１に開示された室内履き（ルームシューズ）は、筒状の甲部、側部および踵部を備えるので、スリッパの脱げやすい問題点を解決できるとしても、以下の問題点がある。
すなわち、底板が表面に露出されていないために室内履き本体の底部がフラットとなるために使用中にひっかかったりして転倒することがないとの発明の効果が第０００９段落に記載されているが、底部がフラットとなるために、却って、引っ掛かりが全くないので滑りやすくなる場合もある。また、内外に表出する外側布地および内側布地がいずれもタオル地等の伸縮性布地により形成されているために全体的にソフトな感触が得られるとともに使用に際して足にフィットして履き心地がよいとの発明の効果が第０００９段落に記載されているが、足甲の大部分をタオル地等の伸縮性布地で覆うために夏季は蒸し暑く履き心地がよくない場合もある。
【０００６】
さらに、この特許文献１の図６に示すように、この室内履き（ルームシューズ）の底部は、内側（足が当接する側）も外側（床面に当接する側）もフラットであるために、ヒールを備えた室外履き用の靴に慣れている場合には（本発明に係るルームシューズが女性用にも幼児用にも限定されるものではないが特に高めのヒールに慣れた（女児を除く）女性にとっては）歩きにくいと感じる場合がある。
【０００７】
本発明は、従来技術の上述の問題点に鑑みて開発されたものであり、その目的とするところは、履き心地が良く、歩きやすく、蒸れにくいルームシューズを提供することである。
【課題を解決するための手段】
【０００８】
上記目的を達成するため、本発明に係るルームシューズは以下の技術的手段を講じてい
る。
すなわち、本発明に係るルームシューズは、室内用の足被覆具であって、足甲と踵と足底とを被覆するとともに足首を露出するルームシューズであって、足甲を覆う足甲部、踵を覆う踵部および足底を覆う足底部により形成され、前記足底部に対して上下反対側に足を出し入れするための開口部を設け、前記足甲部および前記足底部が通気性を備えたメッシュ生地を含んで形成され、前記足底部における踵近傍位置に通気性を備えたクッション材を含んで形成される。
【発明の効果】
【０００９】
本発明によれば、履き心地が良く、歩きやすく、蒸れにくいルームシューズを提供することができる。
【図面の簡単な説明】
【００１０】
【図１】本発明の実施の形態に係るルームシューズの着用状態を示す全体斜視図である。
【図２】図１のルームシューズについての（Ａ）側面図、（Ｂ）底面図、（Ｃ）拡大した部分断面図である。
【発明を実施するための形態】
【００１１】
以下、本発明の実施の形態に係るルームシューズ１００を、図面に基づき詳しく説明する。なお、ルームシューズの構造には様々なものがあり、本発明は特定の構造に限定されるものではなく、後述する２つの特徴（第１の特徴および第２の特徴）を備えたものであれば、どのようなルームシューズの構造であっても、ルームシューズを構成する生地の型紙およびその縫製がどのようなものであっても構わない。そのため、以下に示すこのルームシューズ１００の構造自体は単なる例示でしかない。
【００１２】
図１に本実施の形態に係るルームシューズ１００の着用状態を示す全体斜視図を、図２（Ａ）にその側面図、図２（Ｂ）にその底面図、図２（Ｃ）にその拡大した部分断面図を、それぞれ示す。
これらの図に示すように、このルームシューズ１００は、大きくは、ユーザの足Ｆの足甲と踵と足底とを被覆するとともに足首を露出するように、足甲を覆う足甲部１０２、踵を覆う踵部１０８および足底を覆う足底部１０４により形成されている。なお、このルームシューズ１００においては、足甲部１０２から踵部１０８へ向けて、足甲部１０２と一体化された足側部１０６を備える。そして、足底部１０４に対して上下反対側に足を出し入れするための開口部が設けられ、開口部縫着線１１０により開口部の周囲が形成されている。開口部は、足甲部１０２の上部、足側部１０６の上部および踵部１０８の上部で形成されることになる。
【００１３】
このようなルームシューズ１００においては、第１の特徴として足甲部１０２および足底部１０４が通気性を備えたメッシュ生地を含んで形成されている特徴、第２の特徴として足底部１０４における踵近傍位置に通気性を備えたクッション材を含んで形成されている特徴、を備える。これらの特徴についての詳細は後述する。
このルームシューズ１００は、たとえば、足甲部１０２および足側部１０６を形成するメッシュ生地（後述するように二重メッシュ生地）と踵部１０８を形成する１枚の伸縮性生地とを側部縫着線１２０で縫い合わせて、さらに、これらの足底側と４層から形成される足底部１０４（詳しくは後述するが表側（床面当接側）から肌側へ、二重メッシュ生地１０４Ａ、足底型クッション生地１０４Ｄ、踵部通気性クッション材１０４Ｃ、肌側生地１０４Ｂ）とを底部縫着線１３０で足底の１周分を縫い合わせすることにより、ルームシューズ１００を立体的に形成している。そして、足甲部１０２の上部と足側部１０６の上部と踵部１０８の上部とを開口部縫着線１１０で縫製して一体化している。
【００１４】
側部縫着線１２０および底部縫着線１３０は、それぞれの生地端部が解けてこないように端部処理され、端部処理が裏側（肌側）に出るように縫着される。開口部縫着線１１０は、その生地端部が解けてこないように、生地端部が開口部縫着線１１０の内部に巻き込まれるようにヘム処理されている。
このように、このルームシューズ１００においては、足底部１０４に対して上下反対側
に足を出し入れするための開口部が、足甲部１０２の上部、足側部１０６の上部および踵部１０８の上部に形成された開口部縫着線１１０により形成されている。
【００１５】
この開口部を形成する開口部縫着線１１０は、たとえば、ゴム糸を挿入してダブルウエルトに伸縮性が強くなるように編成されており、伸縮性が強く形成された開口部縫着線１１０により足Ｆが強く締め付けられるので、ルームシューズ１００が足から脱げにくい。なお、平ゴム等の伸縮性細幅生地を、ルームシューズ１００の開口部の生地に、熱プレス装置で接合するようにしても構わない。
【００１６】
いずれにしても、伸縮性の高い開口部を形成することにより、履きやすく脱げにくいルームシューズ１００を実現することができる。
そして、このルームシューズ１００においては、第１の特徴としての足甲部１０２および足底部１０４が通気性を備えたメッシュ生地を含んで形成されている特徴、第２の特徴としての足底部１０４における踵近傍位置に通気性を備えたクッション材を含んで形成されている特徴、を備える。以下に、これらの特徴について図１〜図２を参照して詳しく説明する。
【００１７】
第１の特徴については、足甲部１０２および足底部１０４が、通気性を備えたメッシュ生地で形成されている。より詳しくは、足甲部１０２が、表側の第一メッシュ生地１０２Ａと肌側の第二メッシュ生地１０２Ｂの二重メッシュ構造になっており、足底部１０４の最も表側（床面当接側）が二重メッシュ生地１０４Ａであって、表側（床面当接側）のメッシュ生地（第二メッシュ生地１０２Ｂと同じ）と肌側のメッシュ生地（第一メッシュ生地１０２Ａと同じ）の二重メッシュ構造になっている。すなわち、足甲部１０２および足底部１０４が、通気性を備えた同じ二重メッシュ生地で形成されている（限定されるものではないが足甲部１０２と足底部１０４とで表裏方向は逆使い）。これらの第一メッシュ生地１０２Ａおよび第二メッシュ生地１０２Ｂは、ポリエステル、ナイロン等の化学繊維、綿その他の繊維から形成されている。
【００１８】
そして、肌側の第二メッシュ生地１０２Ｂの方が第一メッシュ生地１０２Ａよりもメッシュの目が細かく肌触りがよく、表側の第一メッシュ生地１０２Ａの方が第二メッシュ生地１０２Ｂよりもメッシュ生地の厚みが厚くクッション性がよい。ただし、本発明がこのような二重メッシュ生地に限定されるものでもなく、表裏方向も限定されるものではない。
【００１９】
このようにルームシューズ１００が足Ｆを覆う多くの部分をメッシュ生地で形成しているので、夏季であってもルームシューズ１００内部が蒸れることなく履き心地がよい。
なお、このルームシューズ１００においては足甲部１０２（足甲部１０２から踵部１０８まで延設される足側部１０６も含めて）の全体がメッシュ生地で形成されているとしたが（足側部１０６が表側の第一メッシュ生地１０６Ａと肌側の第二メッシュ生地１０６Ｂの二重メッシュ構造であって第一メッシュ生地１０６Ａが第一メッシュ生地１０２Ａと同じで第二メッシュ生地１０６Ｂが第二メッシュ生地１０２Ｂと同じ）、足甲部１０２および足側部１０６の少なくとも一部がメッシュ生地で形成されていれば構わない。
【００２０】
第２の特徴については、足底部１０４における踵近傍位置に通気性を備えたクッション材を含んで形成されている。図２（Ｃ）に示す拡大断面図を参照して、足底部１０４は、表側（床面当接側）から肌側へ向けて、上述した二重メッシュ生地１０４Ａ、足底型クッション生地１０４Ｄ、踵部通気性クッション材１０４Ｃ、肌側生地１０４Ｂで形成されている。踵部通気性クッション材１０４Ｃ以外は、全て足底に対応した形状を備える。このように、足底部１０４における踵近傍位置に通気性を備えたクッション材として、この踵部通気性クッション材１０４Ｃが配置されている。
【００２１】
この踵部通気性クッション材１０４Ｃは、通気性を備えた、パワーメッシュ生地、スポンジ生地等で踵形状に合致するとともに、他の３層よりも厚い厚みを備える。すなわち、この踵部通気性クッション材１０４Ｃは、履物（たとえば婦人靴）のヒール部分に対応して、かさ高のパワーメッシュ生地および／またはスポンジ生地を足底部１０４における踵近傍位置に設けている。なお、パワーメッシュ生地およびスポンジ生地でこの踵部通気性クッション材１０４Ｃを形成するようにしても構わないし、パワーメッシュ生地およびス
ポンジ生地のいずれかでこの踵部通気性クッション材１０４Ｃを形成するようにしても構わないし、他の素材でこの踵部通気性クッション材１０４Ｃを形成するようにしても構わない。さらに、この踵部通気性クッション材１０４Ｃの少なくとも一部が底部縫着線１３０により縫着されて、この踵部通気性クッション材１０４Ｃが足底部１０４における踵近傍位置からずれないようにしている。
【００２２】
ここで、肌側生地１０４Ｂは、肌側に合成皮革またはラミネート加工された滑りにくい生地１０４Ｂ１を貼り付けたスポンジ状部材１０４Ｂ２で形成され、足底に対応した形状を備える。ただし、肌側に当接する生地１０４Ｂ１は肌触りが良く吸湿性の高い天然繊維（綿等）を含む生地で形成するようにしても構わず、さらに、本発明がこのような生地に限定されるものではない。また、足底型クッション生地１０４Ｄは、スポンジ生地で形成され、足底に対応した形状を備えるが、本発明がこのようなスポンジ生地に限定されるものではない。
【００２３】
このように、このルームシューズ１００の足底部１０４における踵近傍位置に踵部通気性クッション材１０４Ｃを設け、履物（たとえば婦人靴）のヒール部分のように形成したために、夏季であってもルームシューズ１００内部が蒸れることなく履き心地がよいことに加えて、踵部通気性クッション材１０４Ｃの存在により歩きやすくなる。すなわち、歩くときに踵部通気性クッション材１０４Ｃが、踵部分の形状について従来のルームシューズよりも室外で履く靴（たとえば、気楽に脱いだり履いたりできるように靴ひもを結ぶ必要のないスリッポン（slip-on））の踵（ヒール）に類似する形状を備えるために、日頃から履いて歩いている靴と類似する歩き方を実現できるために歩きやすくなる。たとえば、個人の住宅ほどにはプライベートな空間ではない飛行機の機内において着用すると、スリッパよりもカジュアルではなく、室外で履く靴よりも楽で、しかも、蒸れにくく歩きやすいために、従来のルームシューズおよびスリッパ等の室内履きよりも好ましい。
【００２４】
以上のようにして、本実施の形態に係るルームシューズ１００によると、足甲を覆う足甲部１０２、踵を覆う踵部１０８および足底を覆う足底部１０４により形成され、足甲部１０２および足底部１０４が、通気性を備えたメッシュ生地で形成され、足底部１０４における踵近傍位置に通気性を備えた踵部通気性クッション材１０４Ｃを含んで形成されているので、夏季であってもルームシューズ１００内部が蒸れることなく履き心地がよく、歩きやすいために室内で歩きやすい。
【００２５】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２６】
本発明は、室内で履くルームシューズ（室内履き）に好適であり、履き心地が良く、歩きやすく、夏季であっても蒸れにくいルームシューズに特に好ましい。
【符号の説明】
【００２７】
１００  ルームシューズ
１０２  足甲部
１０２Ａ  第一メッシュ生地（表側）
１０２Ｂ  第二メッシュ生地（肌側）
１０４  足底部
１０４Ａ  二重メッシュ生地
１０４Ｂ  肌側生地
１０４Ｃ  踵部通気性クッション材
１０４Ｄ  足底型クッション生地
１０６  足側部
１０６Ａ  第一メッシュ生地（表側）
１０６Ｂ  第二メッシュ生地（肌側）
１０８  踵部
１１０  開口部縫着線
１２０  側部縫着線
１３０  底部縫着線
【図１】
2018023615.tif 000003
【図２】
2018023615.tif 000004